Podtech/llm-jp-corpus-v4-ja_patent huggingface dataset:
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
揮発性の記憶手段と、
不揮発性の記憶手段とを有し、
第１の電力モードと、当該第１の電力モードより消費電力が低く、前記揮発性の記憶手段に電源供給を継続することにより当該揮発性の記憶手段に記憶されたデータを保持する第２の電力モードとを備える情報処理装置であって、
前記情報処理装置が前記第１の電力モードから前記第２の電力モードへ移行する際に、前記揮発性の記憶手段に記憶されたプログラムのうち、第１のプログラムについては前記揮発性のメモリに記憶された情報を不揮発性のメモリに退避させ、第２のプログラムについては前記情報処理装置が電源オフになる際に実行すべき処理及び前記情報処理装置が電源オンになった際に実行すべき処理を実行させる制御手段と、
を備えることを特徴とする情報処理装置。
【請求項２】
前記制御手段は、前記モードを第１のモードから第２のモードへ移行させる際に、揮発性の記憶手段に記憶させるプログラムのうち、第１のプログラムについては前記揮発性の記憶手段に記憶された情報を不揮発性の記憶手段に退避させる節電処理を実行させることに並行して、第２のプログラムについては前記電源オフになる際に実行すべき処理および前記電源オンになった際に実行すべき処理を行わせる請求項１記載の情報処理装置。
【請求項３】
前記制御手段は、前記モードを第１のモードから第２のモードへ移行させる際の前記電源オンになった際に実行すべき処理については、当該電源オンになった際に実行すべき処理の一部を実行させ、前記モードを第２のモードから第１のモードへ移行させる際の電源オンになった際に実行すべき処理については、残る電源オンになった際に実行すべき処理を実行させるように制御することを特徴とする請求項１記載の情報処理装置。
【請求項４】
不揮発性の記憶手段は、ハードディスクであることを特徴とする請求項１または２記載の情報処理装置。
【請求項５】
第１のプログラムは、データ処理を行う基本プログラムであることを特徴とする請求項１記載の情報処理装置。
【請求項６】
第２のプログラムは、基本プログラムに対して機能を追加するためのプログラムであることを特徴とする請求項１記載の情報処理装置。
【請求項７】
前記情報処理装置は、印刷装置、ファクシミリ装置、複写装置、複合画像処理装置を含むことを特徴とする請求項１乃至６のいずれか１項に記載の情報処理装置。
【請求項８】
揮発性の記憶手段と、
不揮発性の記憶手段とを有し、
第１の電力モードと、当該第１の電力モードより消費電力が低く、前記揮発性の記憶手段に電源供給を継続することにより当該揮発性の記憶手段に記憶されたデータを保持する第２の電力モードとを備える情報処理装置の制御方法であって、
前記情報処理装置が前記第１の電力モードから前記第２の電力モードへ移行する際に、前記揮発性の記憶手段に記憶されたプログラムのうち、第１のプログラムについては前記揮発性のメモリに記憶された情報を不揮発性のメモリに退避させ、第２のプログラムについては前記情報処理装置が電源オフになる際に実行すべき処理及び前記情報処理装置が電源オンになった際に実行すべき処理を実行させる制御工程と、
を備えることを特徴とする情報処理装置の制御方法。
【請求項９】
請求項８に記載の情報処理装置の制御方法をコンピュータに実行させることを特徴とするプログラム。
【手続補正２】
【補正対象書類名】明細書
【補正対象項目名】０００６
【補正方法】変更
【補正の内容】
【０００６】
上記目的を達成する本発明の情報処理装置は以下に示す構成を備える。
揮発性の記憶手段と、不揮発性の記憶手段とを有し、第１の電力モードと、当該第１の電力モードより消費電力が低く、前記揮発性の記憶手段に電源供給を継続することにより当該揮発性の記憶手段に記憶されたデータを保持する第２の電力モードとを備える情報処理装置であって、前記情報処理装置が前記第１の電力モードから前記第２の電力モードへ移行する際に、前記揮発性の記憶手段に記憶されたプログラムのうち、第１のプログラムについては前記揮発性のメモリに記憶された情報を不揮発性のメモリに退避させ、第２のプログラムについては前記情報処理装置が電源オフになる際に実行すべき処理及び前記情報処理装置が電源オンになった際に実行すべき処理を実行させる制御手段と、を備えることを特徴とする。
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
支持部に支持された被記録媒体に記録を行う記録ヘッドと、
前記支持部と対向する部位に開口部を有し、前記開口部から該記録ヘッドの液体吐出面が前記支持部に臨む状態で前記記録ヘッドが取り付けられるキャリッジと、
前記キャリッジの前記開口部における前記支持部に対向する側とは反対側に設けられるとともに、前記記録ヘッドが前記キャリッジに取り付けられる際に前記記録ヘッドに接触することで前記記録ヘッドをアースするように設けられたアース部材と、
を備えることを特徴とする記録装置。
【請求項２】
請求項１に記載された記録装置において、
前記アース部材は、一方の端部は前記キャリッジに固定される基端部であり、他方の端部は自由端部であり、該自由端部側が前記開口部の内側の空間まで延設されることで該自由端部が前記記録ヘッドと接触することを特徴とする記録装置。
【請求項３】
請求項１又は２に記載された記録装置において、
前記アース部材は、前記記録ヘッドと弾性的に接触するばねであり、
該ばねは、前記記録ヘッドに弾性力が作用する状態で設けられていることを特徴とする記録装置。
【請求項４】
請求項１から３のいずれか一項に記載された記録装置において、
前記キャリッジにアース機構を備える機能ユニットが設けられており、
前記アース部材は前記アース機構に接続されていることを特徴とする記録装置。
【請求項５】
請求項４に記載された記録装置において、
前記機能ユニットは回路基板を備え、該回路基板はネジで前記キャリッジに固定され、
前記アース部材も前記ネジで固定されて前記アース機構に接続されていることを特徴とする記録装置。
【請求項６】
請求項１から５のいずれか一項に記載された記録装置において、
前記アース部材は前記自由端が複数設けられ、前記記録ヘッドと多点接触可能であることを特徴とする記録装置。
【請求項７】
請求項１から６のいずれか一項に記載された記録装置において、
前記記録ヘッドは前記液体吐出面の周囲の一部又は全部に導電性部材を備え、
前記アース部材は、前記導電性部材であって前記液体吐出面より後退した段差部に接触することを特徴とする記録装置。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
データ処理を行う第１の処理経路、及び、前記第１の処理経路と異なる第２の処理経路を有し、印刷データを前記第１の処理経路もしくは前記第２の処理経路を経由して処理する通信部と、
前記通信部の前記第１の処理経路もしくは前記第２の処理経路を経由して処理した前記印刷データに基づいて印刷を行う印刷部と、
を備えることを特徴とする印刷装置。
【請求項２】
前記第１の処理経路で行われるデータ処理は、暗号化された前記印刷データを復号化する復号化処理であり、
前記通信部は、受信した前記印刷データが暗号化されたデータのとき、前記暗号化されたデータを前記第１の処理経路を経由して処理して、前記暗号化されたデータを復号することを特徴とする請求項１に記載の印刷装置。
【請求項３】
ウェブブラウザーを実行するブラウザー実行部により出力される印刷データを、第１の通信経路、又は、第２の通信経路を経由して送信する制御装置と、
前記制御装置が、第１の通信経路、又は、前記第２の通信経路を経由して送信した前記印刷データを、当該印刷データが経由した経路に対応する処理を行う通信部、及び、当該通信部により受信した前記印刷データに基づいて印刷を行う印刷部を備える印刷装置と、を有することを特徴とする制御システム。
【請求項４】
前記制御装置は、前記印刷データを暗号化し、暗号化された前記印刷データを前記第１の通信経路を経由して送信し、
前記印刷装置は、前記第１の通信経路を経由して受信した前記印刷データを復号化することを特徴とする請求項３に記載の制御システム。
【請求項５】
前記制御装置、及び、前記印刷装置は、前記印刷データへの暗号化に関する暗号の態様の情報を記憶し、
前記制御装置は、記憶された前記暗号の様態の情報に基づいて、前記印刷データを暗号化し、暗号化された前記印刷データを前記第１の通信経路を経由して送信し、
前記印刷装置は、前記第１の通信経路を経由して受信した前記印刷データを、記憶された前記暗号の様態の情報に基づいて復号化することを特徴とする請求項４に記載の制御システム。
【請求項６】
前記印刷装置の前記印刷部は、復号化された前記印刷データを、前記印刷部を制御する制御コマンドに変換し、変換された前記制御コマンドに基づいて印刷を行うことを特徴とする請求項４又は５に記載の制御システム。
【請求項７】
前記制御装置は、暗号化されていない前記印刷データを前記第２の通信経路で送信し、
前記印刷装置の前記通信部は、前記第２の通信経路で送信された前記印刷データを復号化することなく前記印刷部に送信し、
前記印刷部は、前記第２の通信経路で送信された前記印刷データに基づいて印刷を行うことを特徴とする請求項５に記載の制御システム。
【請求項８】
前記制御装置は、前記印刷データを圧縮し、圧縮した前記印刷データを前記第１の通信経路で送信することを特徴とする請求項３に記載の制御システム。
【請求項９】
前記制御装置は前記第１の通信経路で送信する圧縮された前記印刷データの圧縮率と異なる第２の圧縮率で圧縮し、前記第２の圧縮率で圧縮された印刷データを前記第２の通信経路で送信することを特徴とする請求項８に記載の制御システム。
【請求項１０】
前記印刷装置は、デバイスと接続し、
前記制御装置は、前記印刷装置に接続された前記デバイスに送信するデータを前記第１の通信経路で送信することを特徴とする請求項３に記載の制御システム。
【請求項１１】
前記印刷装置は、前記デバイスと異なる第２のデバイスと接続し、
前記制御装置は、前記印刷装置に接続された前記第２のデバイスに送信するデータを前記第２の通信経路で送信することを特徴とする請求項１０に記載の制御システム。
【請求項１２】
前記制御装置は、商品の情報を表示する表示部を有するＰＯＳ端末であり、
前記印刷装置は、前記ＰＯＳ端末で処理された情報に基づきレシートを発行することを特徴とする請求項３に記載の制御システム。
【請求項１３】
データ処理を行う第１の処理経路、及び、前記第１の処理経路と異なる第２の処理経路を有する通信部を備える印刷装置の制御方法であって、印刷データを前記第１の処理経路もしくは前記第２の処理経路を経由して処理し、前記第１の処理経路もしくは前記第２の処理経路を経由して処理した前記印刷データに基づいて印刷を行うことを特徴とする印刷装置の制御方法。
【請求項１４】
印刷装置に、
前記印刷データを受信して、受信した前記印刷データをデータ処理する第１の処理経路もしくは前記第１の処理経路と異なる第２の処理経路を経由して処理させ、
前記第１の処理経路もしくは前記第２の処理経路を経由して処理した前記印刷データに基づいて、印刷を行なわせることを特徴とするプログラム。
【請求項１５】
印刷装置と、この印刷装置と通信可能な制御装置とを備える制御システムの制御方法であって、
前記制御装置は、ウェブブラウザーを実行するブラウザー実行部により出力される印刷データを、第１の通信経路、又は、第２の通信経路を経由して送信し、
前記印刷装置は、前記制御装置が前記第１の通信経路、又は、前記第２の通信経路を経由して送信した前記印刷データを、当該印刷データが経由した経路に対応する処理を行い、受信した前記印刷データに基づいて印刷を行うことを特徴とする制御システムの制御方法。
【請求項１６】
前記制御装置は、前記印刷データを暗号化し、
暗号化された前記印刷データを前記第１の通信経路で送信し、
前記印刷装置は、前記第１の通信経路で送信された印刷データを復号化し、
復号化された印刷データに基づいて印刷を行うことを特徴とする請求項１５に記載の制御システムの制御方法。
【請求項１７】
前記制御装置は、暗号化されない印刷データを前記第２の通信経路で送信し、
前記印刷装置は、前記第２の通信経路で送信された印刷データを復号化することなく印刷を行うことを特徴とする請求項１６に記載の制御システムの制御方法。
【請求項１８】
前記制御装置は、前記印刷データを圧縮し、
圧縮された印刷データを前記第１の通信経路で送信することを特徴とする請求項１５に記載の制御システムの制御方法。
【請求項１９】
前記制御装置は、前記第１の通信経路で送信される印刷データの圧縮率と異なる第２の圧縮率で圧縮し、
前記第２の圧縮率で圧縮された印刷データを前記第２の通信経路で送信することを特徴とする請求項１８に記載の制御システムの制御方法。
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
基板と、液体を吐出するエネルギーを発生するエネルギー発生素子と、前記エネルギー発生素子と電気的に接続された電極パッドと、前記電極パッド上に形成されたバンプとを有する記録素子基板と、前記記録素子基板のバンプと配線によって電気的に接続された電気配線基板と、を有する液体吐出ヘッドであって、
前記バンプは、第一面と、前記第一面よりも前記基板の表面からの高さが高い第二面と、を有し、
前記第一面には突起が形成されており、前記第二面において前記バンプと前記配線とが接続されていることを特徴とする液体吐出ヘッド。
【請求項２】
前記突起と前記配線とは接触していない請求項１に記載の液体吐出ヘッド。
【請求項３】
前記配線の前記基板の表面からの高さは、前記突起の先端の前記基板の表面からの高さよりも高い請求項１または２に記載の液体吐出ヘッド。
【請求項４】
前記電極パッドの表面の前記第一面の突起に対応した位置に突起が形成されている請求項１乃至３のいずれか１項に記載の液体吐出ヘッド。
【請求項５】
前記電極パッドの表面に形成された突起は、電極パッドに針状の構造物を突き刺すことで形成されたものである請求項４に記載の液体吐出ヘッド。
【請求項６】
前記電極パッドの表面に形成された突起は、エネルギー発生素子の電気的接続を確認するために電極パッドに針状の構造物を突き刺すことで形成されたものである請求項４または５に記載の液体吐出ヘッド。
【請求項７】
前記針状の構造物は、プローブピンである請求項６に記載の液体吐出ヘッド。
【請求項８】
前記バンプはめっきにより形成されている請求項１乃至７のいずれか１項に記載の液体吐出ヘッド。
【請求項９】
前記めっきは、金めっきである請求項８に記載の液体吐出ヘッド。
【請求項１０】
基板と、液体を吐出するエネルギーを発生するエネルギー発生素子と、前記エネルギー発生素子と電気的に接続された電極パッドと、前記電極パッド上に形成されたバンプとを有する記録素子基板と、前記記録素子基板のバンプと配線によって電気的に接続された電気配線基板と、を有する液体吐出ヘッドの製造方法であって、
表面に突起が形成された電極パッドと、エネルギー発生素子とを有する基板を用意する工程と、
前記電極パッドの表面に突起が形成されていない部分の一部を露出するように、前記電極パッド上にレジストを形成する工程と、
前記露出した電極パッドの表面からめっきを行い、バンプの一部を形成する工程と、
前記電極パッドの表面に突起が形成された部分を露出するように、前記レジストの一部を除去する工程と、
前記バンプの一部と、前記レジストの一部を除去して露出した電極パッドの表面からめっきを行い、前記バンプの一部からめっきを行った部分を第二面を有する配線接続領域とし、前記レジストの一部を除去して露出した電極パッドの表面からめっきを行った部分を第一面を有する突起形成領域とする工程と、
前記第二面において前記バンプと前記配線とを接続する工程と、を有し
前記第二面は前記第一面よりも前記基板の表面からの高さが高いことを特徴とする液体吐出ヘッドの製造方法。
【請求項１１】
前記突起と前記配線とは接触していない請求項１０に記載の液体吐出ヘッドの製造方法。
【請求項１２】
前記配線の前記基板の表面からの高さは、前記突起の先端の前記基板の表面からの高さよりも高い請求項１０または１１に記載の液体吐出ヘッドの製造方法。
【請求項１３】
前記電極パッドの表面に形成された突起は、電極パッドに針状の構造物を突き刺して形成する請求項１２に記載の液体吐出ヘッドの製造方法。
【請求項１４】
前記電極パッドの表面に形成された突起は、エネルギー発生素子の電気的接続を確認するために電極パッドに針状の構造物を突き刺して形成する請求項１２または１３に記載の液体吐出ヘッドの製造方法。
【請求項１５】
前記バンプはめっきにより形成する請求項１０乃至１４のいずれか１項に記載の液体吐出ヘッドの製造方法。
【請求項１６】
前記配線接続領域と前記突起形成領域とを有するバンプをアニール処理する請求項１０乃至１５のいずれか１項に記載の液体吐出ヘッドの製造方法。
【請求項１７】
前記アニール処理により、前記配線接続領域のバンプの硬度を７０Ｈｖ以下とする請求項１６に記載の液体吐出ヘッドの製造方法。
【請求項１８】
前記アニール処理により、前記配線接続領域のバンプと前記突起形成領域のバンプとの硬度の差を１０Ｈｖ以下とする請求項１６または１７に記載の液体吐出ヘッドの製造方法。
【請求項１９】
前記アニール処理により、前記配線接続領域のバンプと前記突起形成領域のバンプとの硬度をともに７０Ｈｖ以下とする請求項１６乃至１８のいずれか１項に記載の液体吐出ヘッドの製造方法。
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
身体をトレーニングするためのトレーニング装置であって、
身体が接触した状態で中心軸の軸回りに回転する回転部と、
前記回転部を中心軸の軸回りに回転可能に支持する支持部と、
前記回転部の回転を検知するための回転検知部と、
前記回転検知部の検知結果に基づいて前記回転部の回転角度を決定する制御部と、
前記制御部により決定された前記回転部の回転角度をデジタル表示する表示部と、
を有するトレーニング装置。
【請求項２】
前記回転検知部は、磁気式検知部であり、
前記制御部は、前記磁気式検知部の磁界の変化に基づいて前記回転部の回転角度を決定する電子回路である請求項１に記載のトレーニング装置。
【請求項３】
前記回転部の回転前の位置を初期位置に決定するための初期位置決定部を有する請求項１又は２に記載のトレーニング装置。
【請求項４】
身体の一部を前記回転部に固定するためのアタッチメントを備えた請求項１乃至３のいずれか１項に記載のトレーニング装置。
【請求項５】
請求項１乃至４のいずれか１項に記載のトレーニング装置を用いたトレーニング方法であって、
前記トレーニング装置を一対用い、
各回転部に跨るようにして両足を前記各回転部にそれぞれ載せ、膝をまっすぐに伸ばし、腰の位置を固定した状態で、
前記各回転部をそれぞれ内側又は外側に回転させて、両足を内旋回又は外旋回させるトレーニング方法。
【請求項６】
請求項１乃至４のいずれか１項に記載のトレーニング装置を用いたトレーニング方法であって、
椅子等に座り膝が略９０度になる位置で片足を前記回転部に載せて、膝が内側又は外側に動かないように固定し、前記回転部を内側又は外側に回転させて、膝下を内旋回又は外旋回させるトレーニング方法。
【手続補正２】
【補正対象書類名】明細書
【補正対象項目名】発明の名称
【補正方法】変更
【補正の内容】
【発明の名称】トレーニング装置及びトレーニング方法
【手続補正３】
【補正対象書類名】明細書
【補正対象項目名】０００１
【補正方法】変更
【補正の内容】
【０００１】
本発明は、例えば、身体各部の筋力（あるいは筋）を強化するためのトレーニング装置及びトレーニング方法に関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
そこで、本発明は、身体各部の筋力（あるいは筋）を強化するためのトレーニング装置及びトレーニング方法を提供することを目的とする。
【手続補正６】
【補正対象書類名】明細書
【補正対象項目名】０００９
【補正方法】削除
【補正の内容】
【手続補正書】
【提出日】平成27年5月25日(2015.5.25)
【手続補正１】
【補正対象書類名】明細書
【補正対象項目名】０００１
【補正方法】変更
【補正の内容】
【０００１】
本発明は、乱数生成手段が生成した乱数値を遊技制御に利用する遊技機に関する。
【手続補正２】
【補正対象書類名】明細書
【補正対象項目名】０００５
【補正方法】変更
【補正の内容】
【０００５】
しかしながら、従来の遊技機では、所定の乱数値の狙い撃ちが可能となって、公正さに欠けるという課題がある。
【手続補正３】
【補正対象書類名】明細書
【補正対象項目名】０００６
【補正方法】変更
【補正の内容】
【０００６】
本発明は、所定の乱数値の狙い撃ちを防止し、遊技の公正さを確保することを目的とする。
【手続補正４】
【補正対象書類名】明細書
【補正対象項目名】０００７
【補正方法】変更
【補正の内容】
【０００７】
上記課題を解決するため、請求項１に記載の発明は、
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技の進行を制御する遊技制御手段と、
前記遊技制御手段での制御に利用する乱数を生成する乱数生成手段と、
遊技盤の遊技領域内へ遊技球を発射する発射手段と、を備え、
前記遊技制御手段は、前記乱数生成手段が生成する乱数を任意のタイミングで取得し、取得した乱数を遊技制御に利用し、
前記発射手段は、予め定められた発射周期で連続して遊技球を発射可能であり、
前記乱数生成手段で生成される乱数の範囲は、前記発射周期と前記範囲に属するすべての乱数が生成される周期との同期間隔が前記変動表示ゲームの最大変動時間よりも長くなるように設定されることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、所定の乱数値の狙い撃ちを防止し、遊技の公正さを確保することができるという効果がある。
【手続補正１２】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技の進行を制御する遊技制御手段と、
前記遊技制御手段での制御に利用する乱数を生成する乱数生成手段と、
遊技盤の遊技領域内へ遊技球を発射する発射手段と、を備え、
前記遊技制御手段は、前記乱数生成手段が生成する乱数を任意のタイミングで取得し、取得した乱数を遊技制御に利用し、
前記発射手段は、予め定められた発射周期で連続して遊技球を発射可能であり、
前記乱数生成手段で生成される乱数の範囲は、前記発射周期と前記範囲に属するすべての乱数が生成される周期との同期間隔が前記変動表示ゲームの最大変動時間よりも長くなるように設定されることを特徴とする遊技機。
【手続補正書】
【提出日】平成27年6月25日(2015.6.25)
【手続補正１】
【補正対象書類名】明細書
【補正対象項目名】０００１
【補正方法】変更
【補正の内容】
【０００１】
本発明は、乱数生成手段が生成した乱数値を遊技制御に利用する遊技機に関する。
【手続補正２】
【補正対象書類名】明細書
【補正対象項目名】０００５
【補正方法】変更
【補正の内容】
【０００５】
しかしながら、従来の遊技機では所定の乱数値の狙い撃ちが可能となって、公正さに欠けるという課題がある。
【手続補正３】
【補正対象書類名】明細書
【補正対象項目名】０００６
【補正方法】変更
【補正の内容】
【０００６】
本発明は、所定の乱数値の狙い撃ちを防止し、遊技の公正さを確保することを目的とする。
【手続補正４】
【補正対象書類名】明細書
【補正対象項目名】０００７
【補正方法】変更
【補正の内容】
【０００７】
上記課題を解決するために、請求項１に記載の発明は、
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技盤の遊技領域内へ遊技球を発射する発射手段と、
遊技の進行を制御する遊技制御手段と、
前記遊技制御手段での制御に用いる乱数を生成する乱数生成手段と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行う普図抽選手段と、
前記普図抽選手段による前記普図変動ゲームの結果を、所定の変動時間で停止表示する普図制御手段と、を備え、
前記遊技制御手段は、
前記乱数生成手段が生成する乱数を任意のタイミングで取得し、取得した乱数を遊技制御に利用し、
前記普図抽選手段は、前記特別遊技状態の終了後、
所定の条件を満たしている場合には、所定の終了条件が成立するまで、遊技者に有利な抽選確率である普図高確状態で抽選する一方で、所定の条件を満たしていない場合には、普図低確状態で抽選し、
前記普図始動入球領域への遊技球の入球に対応して、前記乱数生成手段より乱数を取得し、取得した当該乱数を利用して抽選を行い、
前記発射手段は、
予め定められた発射周期で連続して遊技球を発射可能であり、
前記乱数生成手段で生成される乱数の範囲は、前記発射周期と前記乱数生成手段で生成されるすべての乱数が生成される周期との同期間隔が前記変動表示ゲームの最大変動時間よりも長くなるように設定されることを特徴とする。
【手続補正５】
【補正対象書類名】明細書
【補正対象項目名】０００８
【補正方法】変更
【補正の内容】
【０００８】
ここで、「同期間隔」とは同期周期と同義である。「変動表示ゲームの最大変動時間」とは、変動時間が異なる複数種類の変動表示ゲームが存在する場合、最大の変動時間の変動表示ゲームの変動時間を意味する。
請求項１に記載の発明によれば、変動表示ゲームの変動時間は演出毎に定められているため、同期間隔を認識している遊技者がいた場合に、その時間を基に同期間隔が分かってしまい特定の変動表示ゲームの変動を基準とした特定乱数が狙い撃ちされるおそれがあるが、上記構成のように、乱数生成手段で生成される乱数の範囲は、前記発射周期と前記乱数生成手段で生成されるすべての乱数が生成される周期との同期間隔が前記変動表示ゲームの最大変動時間よりも長くなるように設定することで、特定の変動表示ゲームの変動を基準とした所定の乱数値の狙い撃ちを防止し、遊技の公正さを確保することが出来る。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明によれば、所定の乱数値の狙い撃ちを防止し、遊技の公正さを確保することができるという効果がある。
【手続補正１３】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技盤の遊技領域内へ遊技球を発射する発射手段と、
遊技の進行を制御する遊技制御手段と、
前記遊技制御手段での制御に用いる乱数を生成する乱数生成手段と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行う普図抽選手段と、
前記普図抽選手段による前記普図変動ゲームの結果を、所定の変動時間で停止表示する普図制御手段と、を備え、
前記遊技制御手段は、
前記乱数生成手段が生成する乱数を任意のタイミングで取得し、取得した乱数を遊技制御に利用し、
前記普図抽選手段は、前記特別遊技状態の終了後、
所定の条件を満たしている場合には、所定の終了条件が成立するまで、遊技者に有利な抽選確率である普図高確状態で抽選する一方で、所定の条件を満たしていない場合には、普図低確状態で抽選し、
前記普図始動入球領域への遊技球の入球に対応して、前記乱数生成手段より乱数を取得し、取得した当該乱数を利用して抽選を行い、
前記発射手段は、
予め定められた発射周期で連続して遊技球を発射可能であり、
前記乱数生成手段で生成される乱数の範囲は、前記発射周期と前記乱数生成手段で生成されるすべての乱数が生成される周期との同期間隔が前記変動表示ゲームの最大変動時間よりも長くなるように設定されることを特徴とする遊技機。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
所定のタイミングで乱数値を更新する乱数更新手段と、
前記乱数更新手段にて更新された乱数値を遊技に関連して発生する所定信号に基づいて格納する乱数格納手段と、
前記乱数格納手段にて格納した乱数値を取得する乱数取得手段と、
前記乱数取得手段にて取得した乱数値を用いて遊技者に有利な遊技価値を付与させるか否かの抽選を行う抽選手段と、
前記乱数格納手段に乱数値が格納されているか否かを確認する乱数格納確認手段と、
前記乱数格納確認手段による確認の異常を検知する異常検知手段と、
前記異常検知手段にて異常が検知された場合、所定の異常検知時処理を実行する異常検知時処理手段とを有してなることを特徴とする遊技機。
【請求項２】
前記異常検知時処理手段は、異常が発生したことを外部に報知する処理を実行することを特徴とする請求項１に記載の遊技機。
【手続補正２】
【補正対象書類名】明細書
【補正対象項目名】０００９
【補正方法】変更
【補正の内容】
【０００９】
請求項１の発明に係る遊技機によれば、所定のタイミングで乱数値を更新する乱数更新手段（乱数生成回路６２０ａ）と、
前記乱数更新手段（乱数生成回路６２０ａ）にて更新された乱数値を遊技に関連して発生する所定信号（特別図柄始動口４２のスイッチ信号，ラッチレジスタトリガ信号）に基づいて格納する乱数格納手段（特別図柄乱数値レジスタ６２０ｂ，６２００ｂ）と、
前記乱数格納手段（特別図柄乱数値レジスタ６２０ｂ，６２００ｂ）にて格納した乱数値を取得する乱数取得手段（ステップＳ５４，ステップＳ３０３，ステップＳ３００４）と、
前記乱数取得手段（ステップＳ５４，ステップＳ３０３，ステップＳ３００４）にて取得した乱数値を用いて遊技者に有利な遊技価値を付与させるか否かの抽選を行う抽選手段（ステップＳ４１５）と、
前記乱数格納手段（特別図柄乱数値レジスタ６２０ｂ，６２００ｂ）に乱数値が格納されているか否かを確認する乱数格納確認手段（特別図柄乱数ラッチフラグレジスタ６２０ｃ）と、
前記乱数格納確認手段（特別図柄乱数ラッチフラグレジスタ６２０ｃ）による確認の異常を検知する異常検知手段（ステップＳ５３，ステップＳ３００３）と、
前記異常検知手段（ステップＳ５３，ステップＳ３００３）にて異常が検知された場合、所定の異常検知時処理を実行する異常検知時処理手段（ステップＳ５６）とを有してなることを特徴としている。
【手続補正３】
【補正対象書類名】明細書
【補正対象項目名】００１０
【補正方法】変更
【補正の内容】
【００１０】
また、請求項２の発明によれば、上記請求項１に記載の遊技機において、前記異常検知時処理手段（ステップＳ５６）は、異常が発生したことを外部に報知する処理を実行することを特徴としている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成26年11月13日(2014.11.13)
【手続補正１】
【補正対象書類名】明細書
【補正対象項目名】０００５
【補正方法】変更
【補正の内容】
【０００５】
しかしながら、従来の遊技機では所定の乱数値の狙い撃ちが可能となって、公正さに欠けるという課題がある。
【手続補正２】
【補正対象書類名】明細書
【補正対象項目名】０００６
【補正方法】変更
【補正の内容】
【０００６】
本発明は、所定の乱数値の狙い撃ちを防止し、遊技の公正さを確保することを目的とする。
【手続補正３】
【補正対象書類名】明細書
【補正対象項目名】０００７
【補正方法】変更
【補正の内容】
【０００７】
上記課題を解決するために、請求項１に記載の発明は、
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技制御を行う遊技制御手段と、
前記遊技制御に利用する乱数を所定の範囲内で生成する乱数生成手段と、
遊技領域に設けられた遊技球の入賞を第１始動条件とする第１始動入賞領域と、
前記遊技領域に前記第１始動入賞領域とは別に設けられた遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行い、該抽選による前記普図変動ゲームの結果を所定の変動時間が経過したことに対応して停止表示する普図制御手段と、
前記遊技領域へ遊技球を発射する発射手段と、を備え、
前記遊技制御手段は、
前記乱数生成手段が生成する乱数を任意のタイミングで取得し、取得した乱数を遊技制御に利用し、
前記第２始動入賞領域への入賞に対応する変動表示である第２変動表示ゲームを、前記第１始動入賞領域への入賞に対応する変動表示である第１変動表示ゲームに優先して実行し、
前記普図制御手段は、
前記特別遊技状態の終了後、所定の条件を満たしている場合には、所定の終了条件が成立するまで遊技者に有利な抽選確率である普図高確状態で抽選する一方で、所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記発射手段は、
予め定められた発射周期で連続して遊技球を発射可能であり、
前記乱数生成手段で生成される乱数の範囲は、前記発射周期と前記所定の範囲に属するすべての乱数が生成される周期との同期間隔が前記第１と第２変動表示ゲームの最大変動時間よりも長くなるように設定され、
前記乱数生成手段で生成される乱数の範囲に対応して前記乱数の生成周期が決定されることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明によれば、所定の乱数値の狙い撃ちを防止し、遊技の公正さを確保することができるという効果がある。
【手続補正１１】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームの結果態様が予め定めた特別結果態様となった場合に、遊技者に所定の遊技価値を付与可能な特別遊技状態を発生可能な遊技機において、
遊技制御を行う遊技制御手段と、
前記遊技制御に利用する乱数を所定の範囲内で生成する乱数生成手段と、
遊技領域に設けられた遊技球の入賞を第１始動条件とする第１始動入賞領域と、
前記遊技領域に前記第１始動入賞領域とは別に設けられた遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行い、該抽選による前記普図変動ゲームの結果を所定の変動時間が経過したことに対応して停止表示する普図制御手段と、
前記遊技領域へ遊技球を発射する発射手段と、を備え、
前記遊技制御手段は、
前記乱数生成手段が生成する乱数を任意のタイミングで取得し、取得した乱数を遊技制御に利用し、
前記第２始動入賞領域への入賞に対応する変動表示である第２変動表示ゲームを、前記第１始動入賞領域への入賞に対応する変動表示である第１変動表示ゲームに優先して実行し、
前記普図制御手段は、
前記特別遊技状態の終了後、所定の条件を満たしている場合には、所定の終了条件が成立するまで遊技者に有利な抽選確率である普図高確状態で抽選する一方で、所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記発射手段は、
予め定められた発射周期で連続して遊技球を発射可能であり、
前記乱数生成手段で生成される乱数の範囲は、前記発射周期と前記所定の範囲に属するすべての乱数が生成される周期との同期間隔が前記第１と第２変動表示ゲームの最大変動時間よりも長くなるように設定され、
前記乱数生成手段で生成される乱数の範囲に対応して前記乱数の生成周期が決定されることを特徴とする遊技機。
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
記録媒体から特定された価値に基づいた遊技媒体を使用可能にする指令を受けて前記遊技媒体を遊技に使用可能にする遊技機であって、
遊技者にとって有利な特定遊技状態とは異なる有利状態に制御可能な遊技制御手段と、
前記遊技制御手段により前記遊技状態が前記有利状態から通常状態に制御されたときに、前記記録媒体の返却に関する報知を実行する報知手段とを備える、遊技機。
【手続補正２】
【補正対象書類名】明細書
【補正対象項目名】０００６
【補正方法】変更
【補正の内容】
【０００６】
（１）  記録媒体（たとえば、会員カード、ビジターカード）から特定された価値（たとえば、度数）に基づいた遊技媒体（たとえば、遊技球、メダル）を使用可能にする指令を受けて前記遊技媒体を遊技に使用可能にする遊技機（たとえば、パチンコ遊技機１、スロットマシン、カードユニット５０が外付けであってもよいし、内蔵されていてもよい）であって、
遊技者にとって有利な特定遊技状態（たとえば、大当り遊技状態）とは異なる有利状態（たとえば、高確率状態、高ベース状態、ＫＴ状態、ＲＴ状態、ＡＲＴ状態）に制御可能（たとえば、図１５のステップＳ１６７，ステップＳ１７０Ａ，ステップＳ１７０Ｂ，ステップＳ１７２Ｂ）な遊技制御手段（たとえば、遊技制御用マイクロコンピュータ５６０）と、
前記遊技制御手段により前記遊技状態が前記有利状態から通常状態に制御されたときに、前記記録媒体の返却に関する報知を実行する報知手段（たとえば、演出制御用マイクロコンピュータ１００によって、図２０のステップＳ８７６で低確率／低ベース状態指定コマンドが受信されたと判断された場合に、ステップＳ８７８でカードの返却を促す旨を表示させる制御が行なわれる）とを備える。
【手続補正３】
【補正対象書類名】明細書
【補正対象項目名】０００８
【補正方法】変更
【補正の内容】
【０００８】
（２）  上記（１）の遊技機において、
記録媒体（たとえば、会員カード、ビジターカード）から特定された価値（たとえば、度数）に基づいた遊技媒体（たとえば、遊技球、メダル）を使用可能にする指令を受けて前記遊技媒体を遊技に使用可能にする遊技機（たとえば、パチンコ遊技機１、スロットマシン、カードユニット５０が外付けであってもよいし、内蔵されていてもよい）であって、
遊技者にとって有利な特定遊技状態（たとえば、大当り遊技状態）に制御可能（たとえば、図１０のステップＳ３０５〜ステップＳ３０７）であるとともに、前記特定遊技状態とは異なる有利状態（たとえば、高確率状態、高ベース状態、小当りの発生頻度が向上した状態、ＲＴ状態、ＡＲＴ状態）に制御可能（たとえば、図１５のステップＳ１６７，ステップＳ１７０Ａ，ステップＳ１７０Ｂ，ステップＳ１７２Ｂ）な遊技制御手段（たとえば、遊技制御用マイクロコンピュータ５６０）と、
前記有利状態に制御されているときと前記有利状態に制御されていないときとで共通する共通演出（たとえば、潜伏演出）を実行可能（たとえば、図２１のステップＳ８９３）な演出制御手段（たとえば、演出制御用マイクロコンピュータ１００）と、
前記記録媒体の返却に関する報知を実行する報知手段（たとえば、演出制御用マイクロコンピュータ１００、図２０のステップＳ８６８，ステップＳ８７８、図２２のステップＳ７１６）と、
前記演出制御手段が前記共通演出を実行するときに、前記報知を規制する報知規制手段（たとえば、演出制御用マイクロコンピュータ１００、潜伏演出が実行される突然確変大当りまたは小当りの場合は、図２０のステップＳ８６４でＹＥＳと判断され、報知タイミング設定に突然確変大当り／小当り図柄導出時が含まれていない限り、ステップＳ８６８でのカードの返却を促す旨の表示が実行されない）とを備える。
【手続補正４】
【補正対象書類名】明細書
【補正対象項目名】０００９
【補正方法】変更
【補正の内容】
【０００９】
このような構成によれば、共通演出が実行されるような有利状態に制御されているかも知れない状況においては、記録媒体の返却に関する報知が規制される。その結果、遊技の継続の意欲を減退させることを防止できることで遊技機の稼動率を向上させることが可能な遊技機を提供することができる。
【手続補正５】
【補正対象書類名】明細書
【補正対象項目名】００１３
【補正方法】変更
【補正の内容】
【００１３】
このような構成によれば、状況に応じた適切な、記録媒体の返却に関する報知を実現することができる。
【手続補正６】
【補正対象書類名】明細書
【補正対象項目名】００１５
【補正方法】変更
【補正の内容】
【００１５】
このような構成によれば、遊技者が遊技を終了する傾向があるタイミングで、記録媒体の返却に関する報知が実行される。その結果、記録媒体の返却に関する報知が、適切なタイミングで実行されるので、記録媒体の返却に関する報知の効果を向上させることができる。
【手続補正７】
【補正対象書類名】明細書
【補正対象項目名】００１７
【補正方法】変更
【補正の内容】
【００１７】
このような構成によれば、遊技媒体をある程度、確保した段階で、記録媒体の返却に関する報知が実行される。その結果、記録媒体の返却に関する報知が、適切なタイミングで実行されるので、記録媒体の返却に関する報知の効果を向上させることができる。
【手続補正８】
【補正対象書類名】明細書
【補正対象項目名】００１８
【補正方法】変更
【補正の内容】
【００１８】
（７）  上記（２）から（６）のいずれかの遊技機において、
前記報知手段は、表示手段（たとえば、演出表示装置９）に前記記録媒体の返却に関する表示をするための前記報知を実行する。
【手続補正９】
【補正対象書類名】明細書
【補正対象項目名】００１９
【補正方法】変更
【補正の内容】
【００１９】
このような構成によれば、記録媒体の返却に関する報知をより確実に遊技者に認識させることができる。
【手続補正書】
【提出日】平成27年7月30日(2015.7.30)
【手続補正１】
【補正対象書類名】特許請求の範囲
【補正対象項目名】請求項５
【補正方法】変更
【補正の内容】
【請求項５】
複数の画素回路が２次元に配列されたイメージセンサを駆動するイメージセンサ駆動方法であって、
走査手段が、前記イメージセンサから画像信号を取り出す走査工程と、
変換手段が、前記画像信号にオフセット補正を施してデジタルデータへ変換する変換工程と、
取得手段が、前記複数の画素回路の一部の画素回路群からの画像信号の取り出し毎に、基準電圧信号を前記変換工程に処理させて所定のサンプリング数のデジタルデータを取得する取得工程と、
生成手段が、前記取得工程により取得されたデジタルデータに基づいて、前記オフセット補正で用いられる補正値を生成する生成工程と、を備え、
前記基準電圧信号は、前記画素回路が出力する光学的に黒の電圧レベルに設定されていることを特徴とするイメージセンサ駆動方法。
【手続補正書】
【提出日】平成27年7月30日(2015.7.30)
【手続補正１】
【補正対象書類名】特許請求の範囲
【補正対象項目名】請求項８
【補正方法】変更
【補正の内容】
【請求項８】
前記オフセット補正が用いる目標値として、動画像の撮影動作の前に、前記変換手段に前記基準電圧信号を処理させて前記第１のサンプリング数のデジタルデータを取得し、前記オフセット補正の目標値を設定する設定手段を更に備えることを特徴とする請求項１乃至７のいずれか１項に記載のイメージセンサ駆動装置。
【手続補正書】
【提出日】平成27年7月31日(2015.7.31)
【手続補正１】
【補正対象書類名】明細書
【補正対象項目名】０００３
【補正方法】変更
【補正の内容】
【０００３】
UL CAにおいてPセル及びSセルの周波数やカバレッジが異なる場合、DL受信タイミングやUL送信タイミングがセル毎に異なるため、別々に上り同期をとる必要がある。基地局(eNB)及びユーザ装置(UE)間の上り同期を確立する事を目的に、ランダムアクセス(Random Access：RA)手順が実施される。タイミングアドバンス(TA)値については非特許文献2に記載されている。
【手続補正２】
【補正対象書類名】明細書
【補正対象項目名】００３０
【補正方法】変更
【補正の内容】
【００３０】
図8に示す例ではCQIの報告タイミングに基づいてTA値が決定されているが、他の方法でTA値が決定されてもよい。例えば、基地局(eNB)は物理上りリンク制御チャネル(PUCCH)の受信タイミングを予め特定することができるので、PUCCHの受信タイミングに基づいてTA値が決定されてもよい。或いは、物理上りリンク共有チャネル（PUSCH）やSRS（Sounding Reference Signal）の受信タイミングに基づいてTA値が決定されてもよい。
＜3．マルチプルタイミングアドバンス(MTA)＞
図5-8を参照しながら説明したように、基地局(eNB)はTA値を個々のユーザ装置(UE)に通知することで、個々のユーザ装置(UE)からの上り信号を同時に受信できるようになる。電波の伝搬遅延特性や減衰特性等はセル毎に異なるのが一般的であるので、複数のCCを用いてUL送信を行うUL CAの場合には理想的にはセル毎に、すなわちコンポーネントキャリア(CC)毎にTA値を測定してユーザ装置(UE)に通知することが考えられる。しかしながら、そのようなことはシグナリングの削減やユーザ装置(UE)及び基地局(eNB)における処理負担の軽減等の観点からは好ましくない。そこで、ユーザ装置(UE)にとって無線特性が同等であるコンポーネントキャリア(CC)の群をタイミングアドバンスグループ(TAG)として定義し、TA値による送信タイミングの制御はTAG毎に行うことが検討されている。これはマルチプルタイミングアドバンス(Multiple  Timing  Advances：MTA)と言及される。なお、TAGは1つ以上のCCを含む。TA値だけでなく、タイムアライメントタイマ(TAT)や下りリンクの基準タイミングもTAG内のCCで共通に使用される。TATは、それが満了するとユーザ装置(UE)がUL非同期と見なしてリソースを解放することになるタイマである。この場合におけるリソースはPUCCHを送信するための時間及び周波数や、サウンディングリファレンス信号(SRS)を送信するための時間及び周波数を含む。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
回転駆動される回転基板（７０）と、ミスト生成用の液体（８）を回転基板（７０）に送給する液体送給手段（９）とを備えており、
衝突壁（８１）と液体通路（８３）とを交互に配置してなる環状の衝突壁列（８２）が、回転基板（７０）の回転中心を囲む状態で、径方向へ少なくとも二重に設けてあり、
各衝突壁列（８２）は、外側の衝突壁列（８２）を構成する衝突壁（８１）が、内側の衝突壁列（８２）の液体通路（８３）と対向する状態で配置されており、
回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）とが、（Ｗ）＞（Ｈ）、（Ｗ）＞（Ｔ）の関係を満たすように設定されていることを特徴とするミスト発生装置。
【請求項２】
回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）とが、（Ｗ）＞（Ｈ）＞（Ｔ）の関係を満たすように設定されていることを特徴とする請求項１に記載のミスト発生装置。
【請求項３】
回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）とが、（Ｗ）＞（Ｔ）＞（Ｈ）の関係を満たすように設定されていることを特徴とする請求項１に記載のミスト発生装置。
【請求項４】
回転基板（７０）は、基板本体（８０）と衝突壁（８１）とを含み、
基板本体（８０）の厚み寸法（Ｅ）と、回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）とが、（Ｅ）＞（Ｗ）＞（Ｈ）＞（Ｔ）の関係を満たすように設定されていることを特徴とする請求項２に記載のミスト発生装置。
【請求項５】
回転基板（７０）は、基板本体（８０）と衝突壁（８１）とを含み、
基板本体（８０）の厚み寸法（Ｅ）と、回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）とが、（Ｅ）＞（Ｗ）＞（Ｔ）＞（Ｈ）の関係を満たすように設定されていることを特徴とする請求項３に記載のミスト発生装置。
【請求項６】
回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）と、衝突壁列（８２）の液体通路（８３）の通路幅（Ａ）とが、（Ｗ）＞（Ｈ）＞（Ｔ）＞（Ａ）の関係を満たすように設定されていることを特徴とする請求項２または４に記載のミスト発生装置。
【請求項７】
回転基板（７０）の周方向に係る衝突壁（８１）の幅寸法（Ｗ）と、回転基板（７０）の径方向に係る衝突壁（８１）の厚み寸法（Ｔ）と、衝突壁（８１）の突出寸法（Ｈ）と、衝突壁列（８２）の液体通路（８３）の通路幅（Ａ）とが、（Ｗ）＞（Ｔ）＞（Ｈ）＞（Ａ）の関係を満たすように設定されていることを特徴とする請求項３または５に記載のミスト発生装置。
【請求項８】
内外の衝突壁列（８２）を構成する衝突壁（８１）の間に形成される周方向の液体通路（８４）の通路幅（Ｂ）と、衝突壁列（８２）の液体通路（８３）の通路幅（Ａ）とが、（Ｂ）＞（Ａ）の関係を満たすように設定されていることを特徴とする請求項１乃至７のいずれかに記載のミスト発生装置。